(57)【要約】【課題】壁面電気装置に切替、接続の機能を兼備させ、好ましい汎用性を持たせて応用しやすくすると共に、使用者がアダプタを購入する負担を軽減することも可能な、コネクタモジュールを有する壁コンセント及びコネクタモジュールを有する壁スイッチを提供することを課題とする。【解決手段】本発明に係るコネクタモジュールを有する壁コンセントは、コンセント本体及びコネクタモジュールを含む。コンセント本体には、コンセントユニットが設けられている。コネクタモジュールは、コンセント本体上に設けられており、コンセント本体に電気的に接続されると共に、コンセント本体から選択的に突出する。これにより、壁コンセント及び切替、接続の機能を兼備し、好ましい汎用性を有しているため応用しやすい。【選択図】図１
2015204294.tif 000002
【特許請求の範囲】
【請求項１】
コンセントユニットが設けられているコンセント本体と、
前記コンセント本体に設けられると共に、前記コンセント本体に電気的に接続されており、前記コンセント本体から選択的に突出するコネクタモジュールと、
を含むことを特徴とするコネクタモジュールを有する壁コンセント。
【請求項２】
前記コネクタモジュールは、前記コンセント本体に挿設されることを特徴とする請求項１に記載のコネクタモジュールを有する壁コンセント。
【請求項３】
前記コンセント本体には挿入溝が設けられており、
前記コネクタモジュールは、互いに電気的に接続される第１のコネクタ及び第２のコネクタを有し、前記挿入溝に挿設され、
前記第１のコネクタは、前記コンセント本体から突出する、
ことを特徴とする請求項２に記載のコネクタモジュールを有する壁コンセント。
【請求項４】
前記コンセント本体には、交換可能モジュールを取り外し可能に収容する収容溝が設けられており、
前記交換可能モジュールは、モジュール本体及び前記モジュール本体に設けられたコネクタユニットを有すると共に、前記コンセント本体と電気的に接続される、
ことを特徴とする請求項３に記載のコネクタモジュールを有する壁コンセント。
【請求項５】
前記第１のコネクタと前記第２のコネクタとは、接続ケーブルを介して電気的に接続されることを特徴とする請求項３に記載のコネクタモジュールを有する壁コンセント。
【請求項６】
前記第１のコネクタ及び前記第２のコネクタは、回転軸構造によって枢支されることを特徴とする請求項３に記載のコネクタモジュールを有する壁コンセント。
【請求項７】
前記コネクタモジュールは、前記コンセント本体に枢支可能に設けられることを特徴とする請求項１に記載のコネクタモジュールを有する壁コンセント。
【請求項８】
前記コンセント本体には、搭載板が枢支されており、
前記搭載板は、水平位置又は傾斜位置まで下向きに転倒されるか、又は、上向きに転倒されて前記コンセント本体の前側に畳み込まれる、
ことを特徴とする請求項１に記載のコネクタモジュールを有する壁コンセント。
【請求項９】
前記コンセント本体には、前側に開口を有する収容箱が設けられており、
前記収容箱内には、搭載板が移動可能に設けられており、
前記搭載板は、前記収容箱の前記開口から選択的に引き出される、
ことを特徴とする請求項１に記載のコネクタモジュールを有する壁コンセント。
【請求項１０】
前記コンセント本体には、搭載板が枢支されており、
前記搭載板は、傾斜位置まで下向きに転倒されるか、又は、上向きに転倒されて前記コンセント本体の前側に畳み込まれ、
前記搭載板の端部にはスライドレールが接続されており、
前記コンセント本体の頂部には、摺動溝が設けられており、
前記スライドレールは、前記摺動溝に沿って摺動し、
前記コネクタモジュールは、前記コンセント本体に前後に移動可能に設けられ、
前記コネクタモジュールと前記コンセント本体との間には、前記コネクタモジュールを前方に移動させるよう前記コネクタモジュールに付勢力を加えるための弾性素子が設けられている、
ことを特徴とする請求項１に記載のコネクタモジュールを有する壁コンセント。
【請求項１１】
前記コネクタモジュールは、電子装置を有し、
前記電子装置は、変圧器、常夜灯、無線充電器、非常灯、無線コントローラ、無線アクセスポイント、無線モジュール、タイマー、漏電回路安全装置、ケーブル収納機器、センサ、移動体センサ、又は電池である、ことを特徴とする請求項１に記載のコネクタモジュールを有する壁コンセント。
【請求項１２】
前記コネクタモジュールは、互いに電気的に接続される第１のコネクタ及び第２のコネクタを有し、
前記コネクタモジュールの前記第１のコネクタは、前記コンセント本体の縁部の長尺状の凹溝に摺動可能に挿設される、
ことを特徴とする請求項１に記載のコネクタモジュールを有する壁コンセント。
【請求項１３】
スイッチユニットが設けられているスイッチ本体と、
前記スイッチ本体に設けられると共に、前記スイッチ本体に電気的に接続されており、前記スイッチ本体から選択的に突出するコネクタモジュールと、
を含むことを特徴とするコネクタモジュールを有する壁スイッチ。
【請求項１４】
前記コネクタモジュールは、前記スイッチ本体に挿設され又は枢支可能に設けられることを特徴とする請求項１３に記載のコネクタモジュールを有する壁スイッチ。
【請求項１５】
前記スイッチ本体には、交換可能モジュールを取り外し可能に収容する収容溝が設けられており、
前記交換可能モジュールは、モジュール本体及び前記モジュール本体に設けられたコネクタユニットを有すると共に、前記スイッチ本体と電気的に接続される、
ことを特徴とする請求項１３に記載のコネクタモジュールを有する壁スイッチ。
【請求項１６】
前記スイッチ本体には、搭載板が枢支されており、
前記搭載板は、水平位置又は傾斜位置まで下向きに転倒されるか、又は、上向きに転倒されて前記スイッチ本体の前側に畳み込まれる、
ことを特徴とする請求項１３に記載のコネクタモジュールを有する壁スイッチ。
【請求項１７】
前記スイッチ本体には、前側に開口を有する収容箱が設けられており、
前記収容箱内には、搭載板が移動可能に設けられており、
前記搭載板は、前記収容箱の前記開口から選択的に引き出される、
ことを特徴とする請求項１３に記載のコネクタモジュールを有する壁スイッチ。
【請求項１８】
前記スイッチ本体には、搭載板が枢支されており、
前記搭載板は、傾斜位置まで下向きに転倒されるか、又は、上向きに転倒されて前記スイッチ本体の前側に畳み込まれ、
前記搭載板の端部にはスライドレールが接続されており、
前記スイッチ本体の頂部には、摺動溝が設けられており、
前記スライドレールは、前記摺動溝に沿って摺動し、
前記コネクタモジュールは、前記スイッチ本体に前後に移動可能に設けられ、
前記コネクタモジュールと前記スイッチ本体との間には、前記コネクタモジュールを前方に移動させるよう前記コネクタモジュールに付勢力を加えるための弾性素子が設けられている、
ことを特徴とする請求項１３に記載のコネクタモジュールを有する壁スイッチ。
【請求項１９】
前記コネクタモジュールは、電子装置を有し、
前記電子装置は、変圧器、常夜灯、無線充電器、非常灯、無線コントローラ、無線アクセスポイント、無線モジュール、タイマー、漏電回路安全装置、ケーブル収納機器、センサ、移動体センサ、又は電池である、
ことを特徴とする請求項１３に記載のコネクタモジュールを有する壁スイッチ。
【請求項２０】
前記コネクタモジュールは、互いに電気的に接続される第１のコネクタ及び第２のコネクタを有し、
前記コネクタモジュールの前記第１のコネクタは、前記スイッチ本体の縁部の長尺状の凹溝に摺動可能に挿設される、
ことを特徴とする請求項１３に記載のコネクタモジュールを有する壁スイッチ。
【発明の詳細な説明】
【技術分野】
【０００１】
本発明は、コネクタモジュールを有する壁コンセント及び壁スイッチに関する。
【背景技術】
【０００２】
従来の壁コンセント（壁面電気装置）は機能が限られており、アダプタの機能を提供することができないため、使用者がアダプタを使用する必要がある場合は、別途購入しなければならず、使用上の不便を生じていた。従来の壁スイッチも常套的な壁面電気装置であり、同様にアダプタの機能を提供することができないため、上述した問題があった。
【発明の概要】
【発明が解決しようとする課題】
【０００３】
本発明は、壁面電気装置に切替、接続の機能を兼備させ、好ましい汎用性を持たせて応用しやすくすると共に、使用者がアダプタを購入する負担を軽減することも可能な、コネクタモジュールを有する壁コンセント及びコネクタモジュールを有する壁スイッチを提供することを課題とする。
【課題を解決するための手段】
【０００４】
本発明に係るコネクタモジュールを有する壁コンセントは、コンセントユニットが設けられているコンセント本体と、コンセント本体に設けられると共に、コンセント本体に電気的に接続されており、コンセント本体から選択的に突出するコネクタモジュールと、を含む。
【０００５】
本発明に係るコネクタモジュールを有する壁スイッチは、スイッチユニットが設けられているスイッチ本体と、スイッチ本体に設けられると共に、スイッチ本体に電気的に接続されており、スイッチ本体から選択的に突出するコネクタモジュールと、を含む。
【発明の効果】
【０００６】
本発明に係る壁コンセントは、コンセント本体及びコネクタモジュールを含み、コンセント、アダプタ及びコネクタの機能を兼備し、好ましい汎用性を有しているため応用しやすく、また、使用者がアダプタを購入する負担を軽減することも可能である。
【０００７】
更に、コネクタモジュールがコンセント本体の頂部に設けられることで、電子製品をコネクタモジュールに挿入接続する場合、電子製品をコンセント本体上（頂部）に置くことができるため、コンセント本体が搭載の機能をも兼備すると共に、受電、充電及びネットワーク伝送中における電子製品の設置安定性を維持することができる。
【０００８】
本発明に係る壁スイッチもスイッチ、アダプタ及びコネクタの機能を兼備すると共に、同様に電子製品をスイッチ本体上（頂部）に置くことができるため、スイッチ本体が搭載の機能をも兼備する。
【図面の簡単な説明】
【０００９】
【図１】本発明に係る壁コンセントの第１の実施例を示す分解斜視図である。
【図２】本発明に係る壁コンセントの第１の実施例を示す斜視図である。
【図３】本発明に係る壁コンセントの第１の実施例の使用状態を示す斜視図である。
【図４】本発明に係る壁コンセントの第２の実施例を示す斜視図である。
【図５】本発明に係る壁コンセントの第３の実施例を示す斜視図である。
【図６】本発明に係る壁コンセントの第４の実施例を示す斜視図である。
【図７】本発明に係る壁コンセントの第５の実施例を示す斜視図である。
【図８】本発明に係る壁コンセントの第６の実施例を示す斜視図である。
【図９】本発明に係る壁コンセントの第７の実施例を示す斜視図である。
【図１０】本発明に係る壁コンセントの第８の実施例を示す斜視図である。
【図１１】本発明に係る壁コンセント（壁スイッチ）の第９の実施例を示す斜視図である。
【図１２】本発明に係る壁コンセントの第１０の実施例を示す斜視図である。
【図１３】本発明に係る壁コンセントの第１１の実施例を示す斜視図である。
【図１４】本発明に係る壁コンセントの第１２の実施例を示す斜視図である。
【図１５】本発明に係る壁コンセントの第１３の実施例を示す斜視図である。
【図１６】本発明に係る壁コンセントの第１４の実施例を示す斜視図である。
【図１７】本発明に係る壁コンセントの第１５の実施例を示す斜視図である。
【図１８】本発明に係る壁コンセントの第１６の実施例を示す斜視図である。
【図１９】本発明に係る壁コンセントの第１７の実施例を示す斜視図である。
【発明を実施するための形態】
【００１０】
＜第１の実施例＞
図１及び図２に示すように、本発明に係るコネクタモジュールを有する壁コンセントは、コンセント本体１及びコネクタモジュール２を含む。コンセント本体１は、一体成形であってもよく、または２つ以上の部材が組み合わされる構成であってもよい。コンセント本体１には、少なくとも１つのコンセントユニット１１が設けられている。このコンセントユニット１１の規格及び形式は制限されない。コンセント本体１の内部には、適切な回路（図示せず）が設けられてもよい。コンセント本体１及びコンセントユニット１１は、従来技術と略同じであるため、詳しい説明は省略する。
【００１１】
コネクタモジュール２は、コンセント本体１に設けられると共に、コンセント本体１及び交換可能モジュール３等に電気的に接続されることができ、コンセント本体１から選択的に突出することができる。コネクタモジュール２は、コンセント本体１に挿設される又は枢支可能に設けられることができる。コネクタモジュール２は、入力端又は出力端とすることができる。本実施例において、コネクタモジュール２は、コンセント本体１に挿設される。即ち、コンセント本体１の縁部には挿入溝１２が設けられており、コネクタモジュール２はその挿入溝１２に挿設される。挿入溝１２は、コンセント本体１の頂部、左側又は右側等に位置してもよい。コネクタモジュール２は、第１のコネクタ２１及び第２のコネクタ２２を有してもよい。第１のコネクタ２１及び第２のコネクタ２２は、電気的に接続される。コネクタモジュール２を挿入溝１２に挿設することができるため、コネクタモジュール２は、コンセント本体１に固定されることができると共に、第２のコネクタ２２を介してコンセント本体１及び交換可能モジュール３等に電気的に接続されることができる。コネクタモジュール２の第１のコネクタ２１は、電子製品を挿入接続することができるように、コンセント本体１の縁部（例えば頂部の縁部）から突出することができる。
【００１２】
図１及び図２に示すように、壁コンセントは、交換可能モジュール３を更に含む。交換可能モジュール３は、コンセント本体１に取り外し可能に設けられる。交換可能モジュール３は、１つ又は２つ以上設けられてもよい。交換可能モジュール３は、モジュール本体３１及びモジュール本体３１に設けられた少なくとも１つのコネクタユニット３２を有する。コンセント本体１の一面（前側）には収容溝１３が開設されてもよく、交換可能モジュール３は収容溝１３内に取り外し可能に（選択的に）収容されてもよい。交換可能モジュール３は、螺合固定又は係合接続（図示せず）等の方式によりコンセント本体１に固定されてもよい。
【００１３】
交換可能モジュール３の外縁には、１つ又は２つ以上の電気接点３３が入力端又は出力端として設けられてもよく、これら電気接点３３がコンセント本体１上の対応する電気接点１４と互いに接触することで電気的接続が達成される。コンセント本体１の電気接点１４がコンセント本体１の回路等に電気的に接続されることができるため、交換可能モジュール３とコンセント本体１内部の回路との電気的接続が達成される。これにより、コンセント本体１の電力又は信号が、交換可能モジュール３に伝送されることができる。交換可能モジュール３及びコネクタユニット３２は、出力端又は入力端とすることができる。
【００１４】
モジュール本体３１には、電子装置３４が設けられてもよい。電子装置３４は、モジュール本体３１に内蔵されてもよく、又はモジュール本体３１から露出されてもよい。電子装置３４としては、変圧器、常夜灯、無線充電器、非常灯、無線コントローラ、無線アクセスポイント（無線ＡＰ）、無線モジュール、タイマー、漏電回路安全装置（Ｇｒｏｕｎｄ  Ｆａｕｌｔ  Ｃｉｒｃｕｉｔ  Ｉｎｔｅｒｒｕｐｔｅｒｓ、ＧＦＣＩ）、ケーブル収納機器、センサ、移動体センサ、又は電池等の装置であってよい。
【００１５】
交換可能モジュール３の縁部には、挿入溝１２と対応する接続ベース３５が設けられてもよい。接続ベース３５は、コネクタモジュール２が挿入溝１２に挿設されると、コネクタモジュール２の第２のコネクタ２２が接続ベース３５に挿入設置されるように、交換可能モジュール３における挿入溝１２と隣接する一側に設けられる。これにより、コネクタモジュール２は、第２のコネクタ２２及び接続ベース３５を介して、交換可能モジュール３と電気的に接続されることができる。上述した第１のコネクタ２１、第２のコネクタ２２、コネクタユニット３２及び接続ベース３５等は、ＵＳＢ（登録商標）コネクタ、ＩＥＥＥ１３９４（登録商標）コネクタ、ＨＤＭＩ（登録商標）コネクタ、ＡＶ端子、又はＤＣ端子等の各種電気コネクタであってもよい。
【００１６】
図２及び図３に示すように、電子製品９が壁コンセントと電気的に接続されて受電、充電及びネットワーク伝送を行うことができるように、使用者は、電子製品９（例えば携帯電話）をコネクタモジュール２の第１のコネクタ２１に挿入接続させることができる。電子製品９は、受電、充電及びネットワーク伝送中の設置安定性を維持できるように、コンセント本体１上（頂部）に置かれてもよい。電子製品９は、受電、充電及びネットワーク伝送を行うことができるように、接続ケーブル（図示せず）を介してコネクタユニット３２又はコンセントユニット１１等に電気的に接続されてもよい。
【００１７】
＜第２の実施例＞
図４に示すように、コンセント本体１及び交換可能モジュール３の形式及び構成は変更を加えることができると共に、挿入溝１２の位置もコンセント本体１の左側又は右側（縁部）に配置することができる。コネクタモジュール２は、コンセント本体１に設けられ、コネクタモジュール２の第１のコネクタ２１と第２のコネクタ２２とは、接続ケーブル２３を介して電気的に接続される。接続ベース３５は、コネクタモジュール２の第２のコネクタ２２が挿入溝１２に挿設されると、同時に接続ベース３５に挿設されるように、交換可能モジュール３における挿入溝１２と隣接する一側に設けられる。これにより、コネクタモジュール２は、第２のコネクタ２２及び接続ベース３５を介して、交換可能モジュール３と電気的に接続されることができる。コネクタモジュール２の第１のコネクタ２１は、電子製品を挿入接続することができるように、コンセント本体１の縁部（例えば頂部の縁部）の凹溝１５に挿設される共に、コンセント本体１の縁部から選択的に突出する。
【００１８】
＜第３の実施例＞
図５に示すように、本実施例において、電子製品を安定して設置することができるように、コンセント本体１の頂部の厚さが増加されることで搭載部１６が形成される。
【００１９】
＜第４の実施例＞
図６に示すように、コネクタモジュール２は、回転軸等の方式によってコンセント本体１に枢支可能に設けられる。コネクタモジュール２は、第１のコネクタ２１を有する。コネクタモジュール２の第１のコネクタ２１は、導線、導電板又はコネクタ等の方式によって、コンセント本体１及び交換可能モジュール３等に電気的に接続される。コネクタモジュール２は、コネクタモジュール２をコンセント本体１上で起立させたり又はコンセント本体１に向けて倒したりできるように、回動可能となっている。コネクタモジュール２をコンセント本体１上で起立させた場合、第１のコネクタ２１は、電子製品（例えば携帯電話）が差し込まれて電気的に接続されるように、コンセント本体１の縁部から突出することができる。
【００２０】
＜第５の実施例＞
図７に示すように、コンセント本体１には搭載板１７が枢支されてもよい。この場合、コンセント本体１には第１の枢支部１７ａが設けられており、搭載板１７の一側には第２の枢支部１７ｂが設けられている。第１の枢支部１７ａ及び第２の枢支部１７ｂが相互に枢支されることで、搭載板１７が転倒可能にコンセント本体１に接続される。搭載板１７を水平（又は傾斜）位置まで下向きに転倒させた場合、電子製品を設置することができる。搭載板１７を使用しない場合は、搭載板１７を上向きに転倒させて、コンセント本体１の前側に畳み込むこともできる。搭載板１７の縁部には、搭載板１７を上向きに転倒させた場合に搭載板１７をコンセント本体１上に係止固定することができるように、係止部１７ｃが設けられてもよい。
【００２１】
＜第６の実施例＞
図８に示すように、コンセント本体１には搭載板１７が枢支されてもよい。搭載板１７を傾斜位置まで下向きに転倒させた場合、電子製品を設置することができる。搭載板１７を上向きに転倒させて、コンセント本体１の前側に畳み込むこともできる。コネクタモジュール２は、複数設けられてもよい。即ち、コンセント本体１の前側及び頂部のそれぞれに挿入溝１２が設けられることで、これらコネクタモジュール２は、対応する挿入溝１２に挿設されると共に、第２のコネクタ２２を介してコンセント本体１の対応するコネクタ（図示せず）に電気的に接続される。これらコネクタモジュール２の第１のコネクタ２１は、電子製品を挿入接続することができるように、コンセント本体１の前側及び頂部から突出することができる。
【００２２】
コンセント本体１上（頂部）における挿入溝１２の両側には、収容溝１９が接続されている。コネクタモジュール２を使用せずに挿入溝１２から抜き取った場合は、コネクタモジュール２を保管しやすいように、収容溝１９に収容することができる。一部のコネクタモジュール２の第１のコネクタ２１及び第２のコネクタ２２は、コネクタモジュール２が折り畳まれて収納できる状態となるように、回転軸構造２４によって枢支される。
【００２３】
＜第７の実施例＞
図９に示すように、コンセント本体１には、収容箱１８が設けられてもよい。収容箱１８は前側に開口１８１を有する。収容箱１８内には、搭載板１７が移動可能に設けられている。搭載板１７は、収容箱１８内を前後に摺動することができる。搭載板１７は、電子製品を搭載することができるように、収容箱１８の開口１８１から選択的に引き出すことができる。コネクタモジュール２は、複数設けられてもよい。これらコネクタモジュール２は、コンセント本体１及び搭載板１７に挿設される又は枢支可能に設けられることができると共に、コンセント本体１及び交換可能モジュール３等に電気的に接続されることができる。
【００２４】
＜第８の実施例及び第９の実施例＞
図１０に示すように、コンセントユニット１１は、欧州（例えばドイツ）の規格に準拠している。図１１に示すように、コンセントユニット１１は、英国（ＵＫ）の規格に準拠している。また、本発明のコンセント本体１には、スイッチユニット５が設けられてもよい。スイッチユニット５は、コンセント本体１の回路に電気的に接続され、コンセント本体１のスイッチを制御するのに用いられる。
【００２５】
＜第１０の実施例＞
図１２に示すように、交換可能モジュール３には、表示装置３６が設けられている。表示装置３６は、複数の発光ダイオード又は液晶ディスプレイであってもよい。表示装置３６は、交換可能モジュール３に電気的に接続される。例えば、表示装置３６は、コネクタユニット３２に電気的に接続されることができる。これにより、電子製品がコネクタユニット３２に電気的に接続されると、電子製品に伝送される電流量又は電圧の大きさ等を表示することができる。
【００２６】
＜第１１の実施例＞
図１３に示すように、コンセント本体１内には、アダプタ４が設けられている。アダプタ４は、第３のコネクタ４１及び第４のコネクタ４２を有してもよい。第３のコネクタ４１及び第４のコネクタ４２は電気的に接続される。第４のコネクタ４２は、接続ベース３５に挿設される。コネクタモジュール２は、挿入溝１２に挿設されることができると共に、第２のコネクタ２２が挿設されることで第３のコネクタ４１に電気的に接続される。これにより、コネクタモジュール２は、第２のコネクタ２２、アダプタ４及び接続ベース３５を介して、交換可能モジュール３と電気的に接続されることができる。
【００２７】
上述した図１１に示す壁コンセントは、壁スイッチと見做すこともできる。即ち、本発明は、コネクタモジュールを有する壁スイッチをも提供する。図１１に示すコンセント本体１は、スイッチ本体でもある。スイッチ本体には、スイッチユニット５が設けられている。コネクタモジュール２は、スイッチ本体に設けられると共に、スイッチ本体に電気的に接続される。即ち、コネクタモジュール２は、スイッチ本体内部の回路に電気的に接続されることができると共に、スイッチ本体から選択的に突出する。
【００２８】
また、本発明のスイッチユニット５は、設けられる数及び形式は制限されない。スイッチユニット５は、コネクタモジュールを有する壁スイッチが構成されるように、上述した各実施例のコンセント本体１（スイッチ本体）又はその他の形状、構成のスイッチ本体に設けられることも可能である。また、同様にスイッチ本体には、交換可能モジュール３を取り外し可能に収容するための収容溝１３が設けられている。交換可能モジュール３は、スイッチ本体と電気的に接続される。本実施例のスイッチ本体、コネクタモジュール及び交換可能モジュールの構成については、上述した各実施例のコンセント本体１、コネクタモジュール２及び交換可能モジュール３に関する説明において開示したため、詳しい説明は省略する。
【００２９】
＜第１２の実施例及び第１３の実施例＞
図１４及び図１５に示すように、本実施例の壁コンセントも壁スイッチと見做すことができる。コンセント本体１は、スイッチ本体でもある。スイッチ本体には、スイッチユニット５が設けられてもよい。コネクタモジュール２は、スイッチ本体に設けられると共に、スイッチ本体に電気的に接続される。スイッチ本体には、交換可能モジュール３を取り外し可能に収容するための収容溝１３が設けられている。交換可能モジュール３は、スイッチ本体と電気的に接続される。
【００３０】
＜第１４の実施例＞
図１６に示すように、本実施例においては更に、コンセント本体１（スイッチ本体）に蓋体６が枢支可能に設けられている。蓋体６は、コネクタモジュール２を保護するために、コネクタモジュール２の外側に選択的に被せられてもよい。
【００３１】
＜第１５の実施例＞
図１７に示すように、本実施例において、コンセント本体１には搭載板１７が枢支される。搭載板１７を傾斜位置まで下向きに転倒させることで、搭載板１７の一端部１７ｄによってコンセント本体１の頂部における搭載部１６に電子製品を設置することを補助することができる。搭載板１７の端部１７ｄによって電子製品を搭載する面積を増加することができるため、電子製品を一層安定して設置することができる。搭載板１７を使用しない場合は、上向きに転倒させて、コンセント本体１の前側に畳み込むこともできる。搭載板１７の端部１７ｄには、スライドレール１７ｅが接続されていると共に、コンセント本体１の頂部には対応する摺動溝１６ａが設けられている。スライドレール１７ｅが摺動溝１６ａに沿って摺動することにより、安定して転倒するように搭載板１７を案内することができると共に、スライドレール１７ｅによって電子製品設置平面を構成することもできる。
【００３２】
コネクタモジュール２は、コンセント本体１に移動可能に設けられる。即ち、コネクタモジュール２は、挿入溝１２に摺動するように設けられ、前後に移動することができる。第３のコネクタ４１がコネクタモジュール２に沿って前後に移動できるように、第３のコネクタ４１と第４のコネクタ４２との間は、可撓性の線材を介して電気的に接続される。コネクタモジュール２とコンセント本体１との間には弾性素子７が設けられているため、コネクタモジュール２を前方に移動させるようにコネクタモジュール２に付勢力を加えることができる。コネクタモジュール２が前方に所定位置まで移動した場合、コネクタモジュール２は挿入溝１２の前端に当接するか、又は位置決め機構によって位置決めされる。コネクタモジュール２が前方に移動することによって、電子製品をコネクタモジュール２の第１のコネクタ２１に挿入接続させやすくなり、壁面によって干渉されることがない。搭載板１７を使用せずにコンセント本体１の前側に畳み込む場合、コネクタモジュール２は搭載板１７によって押圧されることで後方に移動して元の位置に戻る。
【００３３】
＜第１６の実施例＞
図１８に示すように、本実施例のコネクタモジュール２の第１のコネクタ２１は、コンセント本体１の縁部（例えば頂部の縁部）の凹溝１５に挿設される。凹溝１５は、その長さが適度に延在されることで、コンセント本体１の左側及び右側にまで延在され、長尺状を呈する。コネクタモジュール２の第１のコネクタ２１は、長尺状の凹溝１５内を摺動する。これにより、コネクタモジュール２の第１のコネクタ２１に、摺動調整の機能が付与される。コネクタモジュール２の第１のコネクタ２１は、必要に応じて位置を調整できるようにコンセント本体１に対して移動することができることから、電子製品をコネクタモジュールに挿入接続する際に他の物品との間で干渉が生じることを回避することができると共に、電子製品側の接続用コネクタがどの位置にあっても、コネクタモジュール２の位置を調整することで電子製品をコンセント本体１と上下に対応させることができるため、重心が不安定となる問題はない。
【００３４】
＜第１７の実施例＞
図１９に示すように、本実施例のコネクタモジュール２は、第２のコネクタ２２及び電子装置２５を有する。第２のコネクタ２２及び電子装置２５は電気的に接続される。コネクタモジュール２は、第２のコネクタ２２を介してコンセント本体１及び交換可能モジュール３等に電気的に接続されることができる。電子装置２５は、変圧器、常夜灯、無線充電器、非常灯、無線コントローラ、無線ＡＰ、無線モジュール、タイマー、漏電回路安全装置（ＧＦＣＩ）、ケーブル収納機器、センサ、移動体センサ、又は電池等の装置であってもよい。
【００３５】
以上は本発明の好ましい実施例に過ぎず、本発明の特許請求の範囲を限定するものではない。本発明の明細書及び図面の内容に基づいて為された等価の変更は、いずれも本発明の特許請求の範囲に含まれる。
【符号の説明】
【００３６】
１    コンセント本体
１１  コンセントユニット
１２  挿入溝
１３  収容溝
１４  電気接点
１５  凹溝
１６  搭載部
１６ａ  摺動溝
１７  搭載板
１７ａ  第１の枢支部
１７ｂ  第２の枢支部
１７ｃ  係止部
１７ｄ  端部
１７ｅ  スライドレール
１８  収容箱
１８１  開口
１９  収容溝
２    コネクタモジュール
２１  第１のコネクタ
２２  第２のコネクタ
２３  接続ケーブル
２４  回転軸構造
２５  電子装置
３    交換可能モジュール
３１  モジュール本体
３２  コネクタユニット
３３  電気接点
３４  電子装置
３５  接続ベース
３６  表示装置
４    アダプタ
４１  第３のコネクタ
４２  第４のコネクタ
５    スイッチユニット
６    蓋体
７    弾性素子
９    電子製品
【図１】
2015204294.tif 000003
【図２】
2015204294.tif 000004
【図３】
2015204294.tif 000005
【図４】
2015204294.tif 000006
【図５】
2015204294.tif 000007
【図６】
2015204294.tif 000008
【図７】
2015204294.tif 000009
【図８】
2015204294.tif 000010
【図９】
2015204294.tif 000011
【図１０】
2015204294.tif 000012
【図１１】
2015204294.tif 000013
【図１２】
2015204294.tif 000014
【図１３】
2015204294.tif 000015
【図１４】
2015204294.tif 000016
【図１５】
2015204294.tif 000017
【図１６】
2015204294.tif 000018
【図１７】
2015204294.tif 000019
【図１８】
2015204294.tif 000020
【図１９】
2015204294.tif 000021